(57)【要約】【課題】  カム開口装置において、開口量の調整の容易化や、水噴射式織機に適用する場合における開口軸とカムレバー軸とを連結するリンク機構に含まれる軸受の長寿命化を図る。【解決手段】  綜絖枠の下方で織機の幅方向に延在する複数本の開口軸と、内蔵されたカムのカム軸及び各開口軸に対応して設けられてカムにより回動駆動される複数本のカムレバー軸が開口軸と平行に延在するように設けられたカム駆動装置と、カムレバー軸と開口軸とを連結するリンク機構とを含む織機のカム開口装置において、カムレバー軸は、その先端部がカム駆動装置の設けられる側の織機フレームよりも外側に位置する様に織機フレームの外側へ向けて延在しており、リンク機構は、織機フレームよりも外側で且つカム駆動装置のカムよりも外側に配置されてカムレバー軸と織機フレームを貫通する開口軸とを連結する。【選択図】図１
2010281018.tif 000002
【特許請求の範囲】
【請求項１】
綜絖枠の下方で織機の幅方向に延在すると共に複数枚の綜絖枠の各々に対応して設けられた複数本の開口軸と、左右の織機フレームの一方の側に設けられると共に内蔵されたカムのカム軸及び各開口軸に対応して設けられて前記カムにより回動駆動される複数本のカムレバー軸が前記開口軸と平行に延在するように設けられたカム駆動装置と、前記カムレバー軸と前記開口軸とを連結するリンク機構とを含むカム開口装置において、
前記カムレバー軸は、その先端部が前記カム駆動装置の設けられる側の前記織機フレームよりも外側に位置する様に前記織機フレームの外側へ向けて延在しており、
前記リンク機構は、前記織機フレームよりも外側で且つ前記カム駆動装置の前記カムよりも外側に配置されて前記カムレバー軸と前記織機フレームを貫通する前記開口軸とを連結する、
ことを特徴とする織機のカム開口装置。
【請求項２】
前記カム駆動装置は、織機の幅方向において、その少なくとも一部が前記織機フレームの内部に配置される、
ことを特徴とする請求項１に記載の織機のカム開口装置。
【発明の詳細な説明】
【技術分野】
【０００１】
本発明は、織機のカム開口装置、特に、綜絖枠の下方で織機の幅方向に延在すると共に複数枚の綜絖枠の各々に対応して設けられた複数本の開口軸と、織機の左右フレームの一方の側に設けられると共に内蔵されたカムのカム軸及び各開口軸に対応して設けられてカムにより回動駆動される複数本のカムレバー軸が開口軸と平行に延在するように配置されたカム駆動装置と、カムレバー軸と開口軸とを連結するリンク機構とを含む形式のカム開口装置に関するものである。
【背景技術】
【０００２】
前記形式のカム開口装置として、特許文献１に開示されたものがある。この特許文献１に開示された開口装置では、綜絖枠が連結ロッド及び開口レバーを介して開口シャフト（開口軸）と連結されている。開口シャフトは、織機の左右フレーム間における綜絖枠の下方（真下よりも織前側）において、織機の幅方向に延在するように設けられている。また、開口シャフトは、綜絖枠の数に応じて複数本設けられている。そして、幅方向における綜絖枠の両端部下面に連結された連結ロッドが、開口シャフトに対し相対回転不能に組み付けられた開口レバーと連結されている。この構成により、各綜絖枠は、連結ロッド及び開口レバーを介し、対応する開口シャフトによって上下方向の位置が支持され、開口シャフトの回動運動に伴って上下方向へ運動する。
【０００３】
特許文献１に開示された開口装置では、開口シャフトを回動するための構成として、カム機構が採用されている。このカム機構は、左右の織機フレームの一方の側に設けられ、カムシャフト（カム軸）に支持されてカムシャフトの回転に伴って回転駆動される一対のカム板から成る確動カムと、各カム板の周面に当接するカムフォロアを支持する二股のカムレバーと、一端でカムレバーに固定されたカムレバーシャフト（カムレバー軸）とから成り、積極カム機構として構成されている。さらに、このカム機構は、開口シャフト及びカムレバーシャフトの各々に固定された一対のレバー及び両レバーを連結するリンク部材から成る連結機構（リンク機構）により、開口シャフトと連結されている。そして、これらの構成によって積極カム開口装置を構成している。
【０００４】
このカム開口装置の構成によれば、カムシャフトの回転に伴い、確動カムの作用によってカムレバーがカムレバーシャフトの位置を中心に往復揺動し、カムレバーシャフトが往復回動運動を行う。そして、それに伴い、カムレバーシャフトとレバー及びリンク部材を介して連結された開口シャフトが往復回動駆動され、綜絖枠が上下方向に往復運動する。
【０００５】
また、特許文献１に開示されたカム開口装置では、開口シャフトのカム機構側の端部は、織機フレーム（以下、単に「フレーム」とも言う。）よりも内側（経糸列側）に位置している。その為、カムレバーシャフトは、カムレバーの位置から織機の内側へ向けて延在し、そのカムレバー側とは反対の端部が織機の幅方向における開口シャフトの端部の位置にまで延びている。従って、当然ながら、開口シャフトとカムレバーシャフトとを連結する連結機構はフレームの内側に位置している。
【０００６】
なお、開口シャフトとカムレバーシャフトとを連結する連結機構について、特許文献１の記載では、開口シャフト及びカムレバーシャフトの各々に固定されたレバーを両レバーに固定されたリンク部材で連結する構成となっている。しかし、連結機構においては、両シャフトの回動に伴って各レバーとリンク部材との為す角度が変化するため、レバーとリンク部材とが固定された構成ではこれに対応できない。従って、一般的には、軸受等を介して各レバーとリンク部材とを回動可能に連結する構成が採用されている。
【０００７】
また、織機によっては、開口量の調整が必要となる場合があるが、前記構成の開口装置の場合、一般的には、両レバーを連結するリンク部材と一方又は両方のレバーとの連結位置を調整可能とする構成が採用されている。
【０００８】
ところで、特許文献１に開示されたカム開口装置では、開口量の調整が行い難いといった問題や、水噴射式織機に採用した場合においてレバーとリンク部材との間に介装される軸受の寿命が短いといった問題が生じる。
【０００９】
詳しくは、開口量の調整に関しては、前記の様にレバーとリンク部材との連結位置を変更することによって行われるが、特許文献１に開示された構成の様に、レバー及びリンク部材から成る連結機構がフレームの内側に位置する場合、作業者は、その調整作業をフレームの内側に入り込んで行わなければならない。しかし、織機の左右フレーム間においては、上方に織物や経糸が存在しており、また、左右フレーム間に亘る梁や開口シャフト等の複数の部材が存在する。そのため、作業者は、織物や経糸の下に潜り込んだ作業姿勢の悪い状態で調整作業を行わなければならず、また、上記した複数の部材により作業スペースも制限されるため、作業性が非常に悪い。
【００１０】
また、水噴射織機の場合、フレームの内側の領域では、緯入れのために緯入れノズルから噴射される水が飛散するため、その領域に存在する部材は、その飛散する水（飛散水）に晒される。特許文献１に開示された開口装置の場合、開口シャフトとカムレバーシャフトとを連結する連結機構がフレームの内側に存在しているため、この連結機構も飛散水に晒されることとなり、連結機構に含まれるレバーとリンク部材との間に介装された軸受がその影響を受ける。具体的には、軸受の場合、水の侵入に伴って潤滑状態が悪化するため、早期に性能が低下して寿命が短いものとなる。
【先行技術文献】
【特許文献】
【００１１】
【特許文献１】実公平７−０２６３７８号公報
【発明の概要】
【発明が解決しようとする課題】
【００１２】
そこで、本発明の課題は、前述の様なカム駆動装置を用いたカム開口装置において、開口量の調整の容易化や、水噴射式織機に適用する場合における開口軸とカムレバー軸とを連結する連結機構（リンク機構）に含まれる軸受の長寿命化を図ることにある。
【課題を解決するための手段】
【００１３】
前記の課題の下に、本発明は、前述した形式の織機のカム開口装置において、カム駆動装置におけるカムレバー軸は、その先端部がカム駆動装置の設けられる側の織機フレームよりも外側に位置する様に織機フレームの外側へ向けて延在しており、リンク機構は、織機フレームよりも外側で且つカム駆動装置のカムよりも外側に配置されてカムレバー軸と織機フレームを貫通する開口軸とを連結することを特徴とする。
【００１４】
なお、本発明における「外側」とは、織機の幅方向における経糸列の中央部から離間する側を言う。即ち、フレーム（カム）の外側とは、フレーム（カム）に対する反経糸列側の位置を指す。従って、「外側方向」とは、織機の幅方向における経糸列の中央から離間する方向を言う。また、本明細書におけるフレームの「内側」とは、上記とは逆、即ち、織機の幅方向における経糸列の中心に近い側の位置を指す。因みに、「織機の幅方向」とは、綜絖枠の幅方向（長手方向）と平行な方向を指す（以下では、単に「幅方向」とも言う。）。
【００１５】
また、本発明のカム開口装置においては、織機の幅方向において、カム駆動装置の少なくとも一部がフレームの内部（フレームの幅の範囲）に配置されるものとしてもよい。
【発明の効果】
【００１６】
本発明による織機のカム開口装置によれば、開口軸は、カム駆動装置の設けられる側においてフレームを貫通し、フレームの外側まで延在するように設けられている。一方、カム駆動装置におけるカムレバー軸は、カムと当接するカムレバーから幅方向における外側方向へ向けて延び、その端部がフレームの外側に位置する。それにより、開口軸とカムレバー軸とを連結するリンク機構は、フレーム及びカムよりも外側に位置する構成となる。従って、この構成によれば、リンク機構の位置が、フレームよりも外側であって、且つ、カム及びカムレバーから成るカム機構が内蔵されたカムボックスよりも外側となるため、従来の構成の様に織物等の存在に妨げられることなく開口量の調整作業を行うことができる。よって、その調整作業が容易に行え、作業性が向上する。
【００１７】
また、上記構成によれば、カム開口装置を水噴射式織機に適用した場合において、リンク機構がフレームの内側領域で飛散する緯入れ用の噴射水に晒されることは無いため、リンク機構に含まれる軸受が水の影響を受けることは無い。
【００１８】
さらに、織機の幅方向において、カム駆動装置の少なくとも一部がフレーム内部に配置されたものとすることにより、カムレバー軸の先端部の位置がフレームに近い位置となる。そのため、開口軸とカムレバー軸との連結位置（リンク機構の位置）を、カム駆動装置の全てがフレームの外側に設けられるものと比べ、よりフレームに近いものとすることができる。それにより、開口軸のフレームからの突出長さを短くできるため、フレームの外側で開口軸とカムレバーシャフトとが連結される構成において開口軸の全長を可及的に短くすることができ、開口運動の負荷に起因する開口軸の捩れ等を防止することができる。
【図面の簡単な説明】
【００１９】
【図１】本発明の一実施形態におけるカム開口装置の要部を示す斜視図。
【図２】本発明の一実施形態におけるカム開口装置を示す断面正面図。
【図３】本発明の一実施形態におけるカム開口装置を示す一部断面平面図。
【図４】本発明の一実施形態におけるカム開口装置の一部を示す斜視図。
【発明を実施するための形態】
【００２０】
図１〜４は、本発明による織機のカム開口装置の一実施例を示すものであって、織機を織布巻取側から見て右側の織機フレーム１の周辺を示している。また、図示の織機は、綜絖枠２を４枚備えると共にそれらを２枚ずつの２組に分け、カム開口装置３によって綜絖枠２の各組を互いに逆方向に上下動させることにより、図示しない綜絖を介して各綜絖枠２に支持された多数本の経糸（図示せず）から成る経糸列に開口運動を与えるものとする。
【００２１】
カム開口装置３は、綜絖枠２の前記各組のそれぞれに対応して設けられた２本の開口軸１０、１０と、開口軸１０、１０を回動駆動するためのカム駆動装置２０であって各開口軸１０、１０に対応する２本のカムレバー軸２１、２１を含むカム駆動装置２０と、各開口軸１０、１０とそれに対応するカムレバー軸２１、２１とを連結する一対のリンク機構３０、３０とを備える。
【００２２】
２本の開口軸１０、１０は、上下方向に関し綜絖枠２の下方であって前後方向（経糸方向）に関し綜絖枠２の真下よりも織前Ｆ側の位置において上下方向に並べて配置され、フレーム１の内側の側面に固定された軸受ケース１２ａ及びフレーム１の外側の側面に固定された軸受ケース１２ｂに対し、軸線方向に並設された複数の軸受を介して支持されている。すなわち、各開口軸１０は、軸受ケース１２ａ、１２ｂ及び各軸受ケース１２ａ、１２ｂ内に並設された複数の軸受を介し、フレーム１に対し回転自在に支持されている。
【００２３】
また、各開口軸１０は、前記の様に、フレーム１に対し内側に設けられた軸受ケース１２ａだけでなく、外側に設けられた軸受ケース１２ｂによっても支持されている。即ち、各開口軸１０は、フレーム１を貫通し、フレーム１の外側においても支持されている。さらに、各開口軸１０は、フレーム１の外側において、外側の軸受ケース１２ｂよりも突出する様に延在している。
【００２４】
各開口軸１０には、幅方向における綜絖枠２の両端部のそれぞれに対応した位置に、各開口軸１０に形成されたキー１０ａを介し、開口レバー１４が相対回転不能に組み付けられている。そして、各開口レバー１４には連結ロッド１４ａが立設され、連結ロッド１４ａの先端が綜絖枠２の下面に取り付けられた連結具１４ｂに連結されている。従って、各綜絖枠２は、幅方向における両端部において、対応する開口軸１０に取り付けられた一対の開口レバー１４により、連結ロッド１４ａを介して支持されている。
【００２５】
因みに、図示の例において、４枚の綜絖枠２を織前Ｆ側から第１枠、・・、第４枠とすると、上側の開口軸１０は第１、３枠に対応し、下側の開口軸１０は第２、第４枠に対応している。従って、第１、３枠が１組となって同じ方向で上下運動し、第２、４枠が１組となって第１、３枠とは逆の方向で上下運動する。また、上側及び下側の各開口軸１０、１０に対する開口レバー１４の取り付け位置は、各開口軸１０毎に幅方向において異なる位置に設定されている。
【００２６】
カム駆動装置２０は、カムボックス２９と、このカムボックス２９に内装された一対のカム板２３、２３及びカムフォロアを介して両カム板２３、２３に当接する２つのカムレバー２５、２５を主体とするカム機構とを含む。このカム機構は、基本的には前述の特許文献１に開示されたカム機構と同様のものである。
【００２７】
カムボックス２９は、幅方向における外側（反経糸列側）の側面が開放された幅方向の断面がコ字状の筺体２９ａと、その筺体２９ａの外側側面に取り付けられる蓋２９ｂとで構成されている。言い換えると、カムボックス２９の幅方向における外側の側壁は、取り外し可能な蓋２９ｂで形成されている。さらに、カムボックス２９は、筺体２９ａの周面の蓋２９ｂに隣接する位置に、複数の取付け部２９ｃ、２９ｃ、・・を有している。そして、前記のカム板２３、２３及びカムレバー２５、２５がこのカムボックス２９に内装されている。
【００２８】
カム板２３、２３は、カムボックス２９内において、幅方向に延在してカムボックス２９に回転可能に支持されたカム軸２７によって支持されている。このカム軸２７は、カムボックス２１の蓋２９ｂを貫通し、カムボックス２９からフレーム１の外側方向へ向けて突出するように設けられている。そして、カム軸２７は、その突出側の先端部に連結された後述の駆動機構によって回転駆動される。
【００２９】
また、カム駆動装置２０は、２本の開口軸１０、１０のそれぞれに対応して設けられ、前後方向における綜絖枠２よりも織前Ｆから離間した位置において、上下に並べて配置されたカムレバー軸２１、２１を有する。各カムレバー軸２１は、カム軸２７と平行に延在する様に設けられ、カム軸２７と同様に、カムボックス２９によって回転可能に支持されると共に、カムボックス２９から突出する様に設けられている。そして、各カムレバー軸２１には、カムレバー２５が相対回転不能に組み付けられている。因みに、各カムレバー２５は、カムレバー軸２１が挿通される貫通孔を有する基部と、カム板２３、２３の回転軌跡に沿って基部から互いに逆方向へ円弧状に延びる一対のアームとから成る二股状に形成され、各アームの端部に回転自在されたカムフォロアを介して一対のカム板２３、２３と当接している。
【００３０】
このカム駆動装置２０におけるカム機構では、カム軸２７の回転駆動に伴うカム板２３、２３の回転により、各カムレバー２５が往復揺動駆動され、それに伴ってカムレバー軸２１が回動駆動される。従って、このカム機構は、積極カム機構（確動カム機構）を構成している。
【００３１】
また、図示の例において、カムボックス２９は、織機の幅方向に関し、その大部分がフレーム１の範囲内に位置にする様に設けられている。詳しくは、フレーム１におけるカムボックス２９が設けられる位置には、その内外の両側板に対しカムボック２９が嵌装される貫通孔が形成されており、その貫通孔を介し、カムボックス２９がフレーム１に対し嵌挿された状態で設置されている。
【００３２】
そして、カムボックス２９は、周面に設けられた取付け部２９ｃをフレーム１の外側の側面に当接させると共に、取付け部２９ｃに嵌挿されてフレーム１の外側の側板に対し螺挿される複数のネジ部材により、フレーム１に対し固定されている。従って、カムボックス２９の蓋２９ｂはフレーム１の外側に位置し、カムボックス２９の蓋２９ｂから突出するカム軸２７及びカムレバー軸２１の突出部分もフレーム１の外側に位置する。なお、図示の例では、カムボックス２９の幅方向の寸法がフレーム１の幅方向の寸法よりも大きいため、内側においてもカムボックス２９はフレーム１から突出している。即ち、図示の例では、カムボックス２９はフレーム１を幅方向に貫通した状態となっている。また、このカムボックス２９に内装されるカム板２３、２３は、図示の例では、幅方向に関しカムボックス２９の中央部よりも若干経糸列側に配置され、フレーム１の範囲内に位置する様に配設されている。
【００３３】
カム駆動装置２０におけるカムボックス２９から突出する各カムレバー軸２１は、突出部分の先端部（反経糸列側の端部）において、リンク機構３０により、対応する開口軸１０と連結されている。即ち、各リンク機構３０は、フレーム１の外側であってカムボックス２９よりも外側に配置され、その位置でカムレバー軸２１と開口軸１０とを連結している。なお、図示の例では、上下のそれぞれのカムレバー軸２１と開口軸１０とを連結する両リンク機構３０、３０は、上下方向に対称的に設けられている。
【００３４】
各リンク機構３０は、カムレバー軸２１に対し前記先端部において相対回転不能に固定された揺動レバー３１と、開口軸１０に対し軸受ケース１２ｂよりも突出した部分において相対回転不能に固定された開口軸レバー３３と、揺動レバー３１と開口軸レバー３３とを連結するコンロッド３５とを主体として構成されている。なお、フレーム１の外側での揺動レバー３１と開口軸レバー３３の位置は、織機の幅方向において略同じ位置とされている。
【００３５】
揺動レバー３１及び開口軸レバー３３は、その一端において、対応するカムレバー軸２１及び開口軸１０に対し、一方に形成されたキーと他方に形成されたキー溝を介し、所謂割締め構造によって固定されている。また、揺動レバー３１及び開口軸レバー３３の他端は、コンロッド３５を受け入れるために二股状に形成されている。さらに、コンロッド３５の両端部には、貫通孔が形成され、その貫通孔に軸受（図示せず）が嵌装されている。
【００３６】
開口軸レバー３３の二股部は、コンロッド３５との連結用の連結ピン３３ａを受け入れる貫通孔が形成されていると共に、連結ピン３３ａを固定するための割締め構造を有している。そして、コンロッド３５の一端を開口軸レバー３３の二股部に受け入れた状態で、二股部の貫通孔及びコンロッド３５の一端の貫通孔に連結ピン３３ａを挿通させた状態とし、割締めによって連結ピン３３ａを開口軸レバー３３に対し回転不能に固定することにより、開口軸レバー３３とコンロッド３５の一端とが、連結ピン３３ａ及びコンロッド３５の一端の貫通孔に嵌装された軸受を介し、回動自在に連結された状態となる。
【００３７】
また、揺動レバー３１の二股部は、長手方向に延びる長孔が形成されており、この長孔にコンロッド３５との連結用の連結ピン３１ａが受け入れられる。連結ピン３１ａは、ボルト状の形態を為し、一端にボルト頭が形成されると共に他端に雄ネジ部が形成されている。そして、連結ピン３１ａは、揺動レバー３１における二股部の長孔に挿入された状態で、他端の雄ネジ部にナット（図示せず）が螺合されることにより、ボルト頭とナットとで揺動レバー３１（二股部）を挟み込んだ状態とし、その締付け力で揺動レバー３１に対し位置固定される。従って、連結ピン３１ａは、揺動レバー３１の長孔の範囲内で位置が変更可能となっている。
【００３８】
そして、コンロッド３５の他端を揺動レバー３１の二股部に受け入れた状態で、二股部の長孔及びコンロッド３５の他端の貫通孔に連結ピン３１ａを挿通させた状態とし、連結ピン３１ａを揺動レバー３１に対し位置固定することにより、揺動レバー３１とコンロッド３５の他端とが、連結ピン３１ａ及びコンロッド３５の他端の貫通孔に嵌装された軸受を介し、回動自在に連結された状態となる。また、揺動レバー３１に対する連結ピン３１ａの固定位置を長孔の範囲内で変更することにより、揺動レバー３１とコンロッド３５との連結位置が調整される。
【００３９】
前述のカム軸２７を回転駆動するための駆動機構は、主軸４を回転駆動するための主駆動モータ５を駆動源とする。図示の例では、この主駆動モータ５は、フレーム１の上面に対しブラケット等によって設置されている。また、フレーム１には、クランク軸６がフレーム１を貫通した状態で軸受によって回転自在に支持されている。そして、主軸４は、フレーム１の内側において、軸継手４ａによってクランク軸６と相対回転不能に連結されている。
【００４０】
図示の構成では、主駆動モータ５の出力軸５ａにはモータプーリ５ｂが取り付けられており、一方でクランク軸６のフレーム１の外側の端部には駆動プーリ６ａが取り付けられている。さらに、モータプーリ５ｂと駆動プーリ６ａとが両プーリに巻き掛けられたＶベルト７ａによって連結されている。この構成により、主駆動モータ５の出力軸５ａの回転は、モータプーリ５ｂ、Ｖベルト７ａ及び駆動プーリ６ａを介してクランク軸６に伝達され、クランク軸６及び主軸４は主駆動モータ５によって回転駆動される。
【００４１】
また、駆動プーリ６ａには、フレーム１とは反対の側において、タイミングプーリ６ｂが取り付けられている。このタイミングプーリ６ｂは、駆動プーリ６ａにおけるクランク軸６の先端を受け入れる貫通孔周りに螺挿されたネジ部材により、駆動プーリ６ａに対し同軸的で相対回転不能に設けられている。一方、カム駆動装置２０におけるカム軸２７の先端部にはタイミングプーリ２７ａが取り付けられている。そして、タイミングプーリ６ｂとタイミングプーリ２７ａとが両プーリに巻き掛けられたタイミングベルト７ｂによって連結されている。この構成により、主駆動モータ５によって主軸４が回転駆動されることに伴い、駆動プーリ６ａの回転が、タイミングプーリ６ｂ、タイミングベルト７ｂ及びタイミングプーリ２７ａを介してカム軸２７に伝達され、カム軸２７が回転駆動される。
【００４２】
以上で説明したカム開口装置３では、カム駆動装置２０におけるカムボックス２９は、織機の幅方向に関し、その大部分がフレーム１の範囲内に位置し、反経糸列側の端部がフレーム１の外側に突出する様に設置されている。そして、カムボックス２９に内装されて織機の幅方向におけるフレーム１の範囲内に位置するカム２３、及びカムレバー２５によって回動駆動されるカムレバー軸２１は、フレーム１の範囲内におけるカムレバー２５の位置からフレーム１の外側方向へ向けて延び、カムボックス２９から突出するように設けられている。一方、綜絖枠２に連結される開口軸１０は、カム駆動装置２０が設けられる側においてフレーム１を貫通し、幅方向におけるカムレバー軸２１の先端部と略同じ位置まで延びている。
【００４３】
従って、カムレバー軸２１と開口軸１０とは、フレーム１の外側であってカムボックス２９（カムボックス２９に内臓されたカム２３）よりもフレーム１の外側の位置で連結可能となる。それにより、カムレバー軸２１と開口軸１０とを連結するリンク機構３０を、フレーム１（カムボックス２９）の外側に配置することができ、水噴射式織機の場合において、緯入れに伴ってフレーム１の内側領域で飛散する水によるリンク機構３０の軸受等への影響を排除することができる。
【００４４】
また、リンク機構３０がフレーム１（カムボックス２９）の外側に配置されるため、左右のフレーム１間に存在する織物や他の部材等に妨げられることなく、開口量の調整のための作業、すなわち、揺動レバー３１とコンロッド３５との連結位置の変更作業を行うことができ、その作業が従来に比べ容易に行える。
【００４５】
なお、以上で説明した実施形態では、前提となる織機におけるカム開口装置３は、２本の開口軸１０、１０、及び各開口軸１０に対応するカムレバー軸２１、カムレバー２５を備え、それらによって４枚の綜絖枠２に開口運動を与えるものとしたが、本発明が前提とするカム開口装置はそのような構成のものに限らず、３本以上の開口軸及びそれに対応するカムレバー軸等により、３枚以上の綜絖枠を駆動する様に構成されたものであってもよい。また、本発明によるカム開口装置においては、複数本のカムレバー軸の全てが外側方向へ向けて延在するものに限らず、一部が内側へ向けて延在するものであってもよい。即ち、本発明のカム開口装置においては、複数本のカムレバー軸のうちの少なくとも１つについて、その先端部が織機フレームよりも外側に位置する様に織機フレームの外側へ向けて延在するものであればよい。
【００４６】
また、前述の実施形態では、カム駆動装置２０は、カムボックス２９の大部分が織機の幅方向においてフレーム１の範囲に位置し、カムボックスの一部のみがフレーム１の外側に突出する様に配置されている。しかし、本発明におけるカム駆動装置はその様な配置のものに限らず、カムボックスの全てがフレームの外側に配置される構成としてもよい。また、カムボックスの全てが織機の幅方向においてフレームの外側面よりも内側（経糸列側）に位置し（カムボックスの全てがフレームの内側に配置される場合も含む）、カムレバー軸のみがフレームの外側に突出する配置としてもよい。
【００４７】
但し、カムボックスを外側に配置した場合、カムレバー軸の先端位置（リンク機構の連結位置）がフレームからより離れた位置となるため、それに伴って開口軸のフレームからの突出長さを長くしなければならなくなる。その結果、開口軸が長尺となり、開口運動による負荷に起因する捩れ等が生じやすくなって所望の開口量が得られない等の問題が生じる虞がある。従って、カムレバー軸の先端位置はフレームに近い方が好ましく、カムボックスは、その全てをフレームの外側に配置するよりも、織機の幅方向において少なくとも一部がフレームの範囲内に位置する様に配置されるのが好ましい。
【００４８】
一方で、カムボックスをフレームの内側に配置する場合については、フレームの内側における設置スペースの関係から難しい場合が多く、他の部材や装置の設置スペースに制限を与える虞がある。従って、設置スペースの面から考えても、カムボックスの少なくとも一部が幅方向においてフレームの範囲内に位置するのが好ましい。
【００４９】
また、本発明によるカム開口装置は、水噴射式織機に限らず、他の無杼織機にも適用可能である。
【００５０】
さらに、本発明は、以上で説明したいずれの実施形態にも限定されるものではなく、本発明の趣旨を逸脱しない限りにおいて種々に変更することが可能である。
【符号の説明】
【００５１】
１      織機フレーム（フレーム）
２      綜絖枠
３      カム開口装置
４      主軸
５      主駆動モータ
５ｂ    モータプーリ
６      クランク軸
６ａ    駆動プーリ
６ｂ    タイミングプーリ
７ａ    Ｖベルト
７ｂ    タイミングベルト
１０    開口軸
１４    開口レバー
１４ａ  連結ロッド
２０    カム駆動装置
２１    カムレバー軸
２３    カム板
２５    カムレバー
２７    カム軸
２７ａ  タイミングプーリ
２９    カムボックス
３０    リンク機構
３１    揺動レバー
３３    開口軸レバー
３５    コンロッド
【図１】
2010281018.tif 000003
【図２】
2010281018.tif 000004
【図３】
2010281018.tif 000005
【図４】
2010281018.tif 000006